(57)【要約】  本発明は、灌漑水を使用して密封された可撓性の容器から内容物を抽出する方法、それを実施するデバイス、および使用される容器に関する。本発明の方法は、基本的に以下の、ａ）容器の支持部（１０）の閉鎖によって容器（１）を穿孔するステップと、ｂ）そうして形成された穿孔を通して灌漑水を容器（１）に注入するステップと、ｃ）容器（１）が灌漑水の圧力を内側に受けるように、容器の支持部（１０）に配置された突出する要素（１６）を備える破断手段に対して容器を付着させることによって容器を破断させるステップと、ｄ）灌漑水の流れによって容器（１）に含まれる可溶性の肥料（３）を抽出するステップとを含む。本発明は、本体（１２）および蓋（１３）に分割された容器の支持部（１０）、先端部（１５）の形の穿孔手段、水の注入手段、容器の支持部（１０）の内側に配置された突出部（１６）からなる破断手段、および容器の支持部（１０）を開閉する手段を備える前記方法を行うために使用されるデバイスにも関する。使用される容器（１）は周囲のリム（７）を有するカバー（４）と共に閉鎖される受け部（２）を備える。
2008538904.tif 000002
【特許請求の範囲】
【請求項１】
灌漑水を使用して密封された可撓性の容器から内容物を抽出する方法であって、
ａ）前記容器の支持部を閉じることによって前記容器を穿孔するステップと、
ｂ）前述のステップで作られた前記穿孔を通って灌漑水を注入するステップと、
ｃ）前記容器が前記灌漑水の圧力を内側に受けるように、前記容器の支持部に配置された特定の破断手段に対して前記容器を付着させることによって前記容器を破断させるステップと、
ｄ）灌漑水の流れによって前記容器の前記内容物を抽出するステップと
を含むことを特徴とする方法。
【請求項２】
前記容器の前記穿孔がその上方の部分に形成され、前記容器の前記破断がその下方の部分に形成されることを特徴とする、請求項１に記載の方法。
【請求項３】
前記容器の前記破断が前記破断手段の突出する要素に対して最初にその接触の点に形成され、それに続く破断が前記突出する要素の間に存在する前記キャビティに伝達されることを特徴とする、請求項２に記載の方法。
【請求項４】
前記破断中に前記容器から剥離された前記容器の部分が前記容器に取り付けられたままになることを特徴とする、請求項１に記載の方法。
【請求項５】
灌漑水を使用して密封された可撓性の容器から内容物を抽出する装置であって、
容器の支持部（１０）と、
前記容器の支持部（１０）に配置された前記容器（１）を穿孔する穿孔手段と、
前記容器の支持部（１０）に配置された前記容器（１）の内側に前記灌漑水を注入する注入手段と、
前記容器の支持部（１０）に配置された前記容器（１）を破断する破断手段と、
前記水の注入手段に連結された水の入口（１４）と、
前記容器を破断する前記破断手段の隣に配置され、流出パイプ（１８）に連結された複数の水の排出オリフィス（１７）と、
前記容器の支持部（１０）を開閉する手段とを備えていることを特徴とする装置。
【請求項６】
前記容器の支持部（１０）が、本体（１２）、および開放して容器（１）をその中に導き、密着手段があることにより閉鎖して密封キャビティを形成できる蓋（１３）を備えることを特徴とする請求項５に記載の装置。
【請求項７】
前記密着手段が前記容器の支持部（１０）の周囲に配置されたＯリング・シール（４３）を備えることを特徴とする請求項６に記載の装置。
【請求項８】
前記容器の支持部（１０）が、閉じた位置にあるときに前記容器（１）を固定する手段を備えることを特徴とする請求項５に記載の装置。
【請求項９】
前記容器（１）を固定する前記手段が、前記容器の支持部（１０）の前記蓋（１３）の下方の部分の円錐の縁部（１９）、および前記容器の支持部（１０）の前記本体（１２）の上方の部分の円錐のハウジング（２０）を備え、それらは互いに協働して前記容器（１）のリム（７）を捕捉できることを特徴とする請求項８に記載の装置。
【請求項１０】
前記容器を穿孔する前記穿孔手段が、前記容器の支持部の前記蓋（１３）に接合された複数の先端部（１５）を備えることを特徴とする請求項５に記載の装置。
【請求項１１】
前記水の注入手段が、注入針（３１）の先端部に隣接した注入オリフィス（４１）を備える、その端部で終端し、反対側の端部が前記水の入口（１４）に連結される少なくとも１つの注入針（３１）の内側に配置された導管を備えることを特徴とする請求項１０に記載の装置。
【請求項１２】
前記容器を破断する前記破断手段が、排出オリフィス（１７）の間に配置された複数の突出する要素（１６）を備えることを特徴とする請求項５に記載の装置。
【請求項１３】
前記突出する要素（１６）が、対称角錐（４７）、非対称角錐（４６）、リップルを付けられた角錐（４８）、および切頭角錐（４５）、（４９）、（５５）によって形成される群の形状のうちの少なくとも１つを備えることを特徴とする請求項１２に記載の装置。
【請求項１４】
前記容器の支持部（１０）を開閉する前記手段が、前記容器の支持部（１０）の前記本体（１２）に接合された両側の支持部（６３）と一体の第１のロッド（６４）にヒンジ式に取り付けられたアーム（６８）を備え、前記アーム（６８）に第２のロッド（６７）が前記蓋（１３）と一体に配置され、そこに前記両側の支持部（６３）と一体の対応するラグ（７０）をその中に受けるために設けられたフック形状のノッチ（６６）を有する２つのアップライト（７５）を設けられたロッキング・ヨーク（６５）がヒンジ式に取り付けられることを特徴とする請求項５に記載の装置。
【請求項１５】
底部（５）によって形成された受け部（２）、リム（７）の外側に向かって延出する円錐台形の側壁（６）、および前記リム（７）の周囲に溶接された覆い（４）を備えていることを特徴とする、可溶性の肥料（３）をその中に含み、請求項１から４の方法に従って請求項５から１４の装置に使用されるために設けられた可撓性の密封された容器（１）。
【発明の詳細な説明】
【技術分野】
【０００１】
本発明は、任意のタイプの装飾用植物、草、または農作物を施肥する任意の灌漑システムのために、灌漑水を使用して少なくとも１つの物質を含む密封された容器から内容物を抽出する方法に関する。肥料物質は、粉末、結晶体、超微粒子化、微粒子化、または１つまたはいくつかの片に適切な様式でコンパクト化されたものであることができる。本発明はさらに、方法を実施するための装置および肥料物質を含む密封された容器に関する。
【背景技術】
【０００２】
特許文献１は、重量センサを使用することによって液体の流れに取り込まれる粉末の肥料の重量を精密に制御できるようにする装置を記載している。この装置は複雑で高価であり、小規模の非専門家の使用者には適していない。
【０００３】
さらに、灌漑水を使用して任意のタイプの農作物および菜園を施肥する肥料の、予めメーターで計り予め包装された部分を使用することは、保守および施肥作業を助け、人手による労力を節約し、悪臭および雑草の成長を発生させる有機的な材料を適用する問題（従来的に使用された方法）を軽減しながら、同時に肥料の質の一貫性を確実にする利点を有する。
【０００４】
特許文献２は、精密な様式で肥料を灌漑水の流れに取り込む装置の過剰な複雑さを問題として検討し、この調合の精密さがほとんどの用途に関して必要でないという考えに基づき、粒状の形式で肥料を含む円錐台形の使い捨て可能なカートリッジを使用することを目的とする。カートリッジの基部は、流入する水に対して較正されたオリフィスおよび複数の周囲の流出オリフィスを有する。カートリッジが使用されるまで、流入オリフィスおよび流出オリフィスは、人手によって除去しなければならない自己接着フィルムによって覆われたままになる。
【０００５】
特許文献３は、自動の灌漑システムで上記に示した装置によって早期に肥料が放出される問題を検討する。提案された解決策は、回路に圧力が導かれた場合に灌漑水によって駆動される中空の針によって穿孔される薄膜によって閉鎖されたカートリッジを使用することからなる。したがって、密封されたカートリッジは、灌漑が行われるまでその内容物が出ることができるようにしない。薄膜が穿孔された後に、灌漑水は、針の中央を通ってその中に注入され、肥料溶液を周囲に抽出させる。
【０００６】
特許文献４は、上記の装置を記載し、穿孔する針の外側を通して灌漑水を使い捨てのカートリッジ内に注入し、それに対して肥料溶液は、水の流出流れ内の吸入領域に連結された導管を通って、その内側を通って抽出される。
【０００７】
最後に、特許文献５は、個人用の衛生に使用するもののような小さなゲル・カプセルを開封する問題を検討している。提案された解決策は、これらのカプセルを容器内に配置された固定された開封手段に手動で押し付けることに基づいている。これらの開封手段は、切断用のまたは鋭利な突起部によって形成される。
【特許文献１】米国特許公開第2004/0232163号明細書
【特許文献２】米国特許第4,333,493号明細書
【特許文献３】米国特許第4,901,890号明細書
【特許文献４】米国特許第4,907,618号明細書
【特許文献５】米国特許第6,164,326号明細書
【発明の開示】
【発明が解決しようとする課題】
【０００８】
本発明の目的は、密封された容器を予め開放する必要なくそこから可溶性の肥料を抽出し、また容器を幅広く破断し、そこを通る水を効果的に循環させる結果として、肥料を完全に抽出することを確実にできるようにする方法および装置を提供する。
【課題を解決するための手段】
【０００９】
本発明の方法では、前記密封された容器は、規定の配置によって容器の表面を穿孔し、破断することを意図された手段を有する、閉鎖されたチャンバまたは容器の支持部によって形成された抽出装置内に閉鎖中に配置および密着される。主要な灌漑パイプからの水は装置に導かれ、容器を破断させ、肥料を一緒に運び、次いで抽出後に液体（水＋肥料）を排出し、その溶液は灌漑システムに取り込まれる。この方法は、容器の内側に形成された圧力および灌漑水の通過の機械的な作用によって容器が破断され肥料が溶解されるので、主要な灌漑パイプに水が流れ込むことに関するいかなる特定の要件も必要とせず、いかなるタイプの追加の動力源も必要としない。
【００１０】
システムは、容器の支持部の内側に形成された圧力により肥料の完全な可溶性を助け、それによってフィルタおよび／または灌漑システムが閉塞するのを防止する。この密封された容器の使用は、肥料を形成する化学物質と直接的に接触するのを防止し、しばしば非専門家によって行われるその適用により大きな安全性を与える。
【００１１】
本発明の変形では、水の入口部材は容器の上方の表面を穿孔することを意図された手段、およびその中に水を注入する水の注入手段を有し、それによって、容器の（通常は下方の表面の）抽出表面が、エンボス加工されたおよび／または中空にされた要素を備える容器の支持部の突出する要素によって形成された破断手段に対して漸進的および局部的に引っ張られる場合、前記抽出表面は、その破断応力に達した場合、前記エンボス加工されたおよび／または中空にされた要素の位置によって規定された配置による複数の点で破断し、抽出後に液体が排出できるようにし、その場合に、容器の支持部および水の入口の部材が互いに協働して容器の縁部を押すことによって密着を確実にし、その間に容器の定められた形状を確実にするキャビティを形成する。
【００１２】
方法は、本発明の装置の目的を主要な灌漑パイプに単純に適合することによって実施できる、その連続的なステップを述べることによって、よりよく理解される。
第１段階では、容器は容器の支持部に配置され、その場合に、この位置での下方の表面が抽出表面になる。
第２段階では、容器を備えた容器の支持部が閉鎖され、前記容器の上方および下方の表面が、抽出キャビティの下方の表面の下および上方の部分の上に配置された１つまたは複数の要素を切断または穿孔することによって穿孔される。
本発明の変形では、容器の抽出（下方）表面は、容器の内側の水の圧力により前記表面が容器の支持部のエンボス加工されたおよび／または中空にされた要素に対するその破断応力に達する第３段階まで穿孔されない。
このステップの途中で、容器の形状は、抽出装置のキャビティの構成への適合により、その最初の形状に関して任意に変更できる。したがって、容器の形状は、特に前記容器が非常にコンパクト化されない、またはコンパクト化されない製品を収容する場合に、その前の取扱いに続いて可能な変形を受けた後でも、それが配置されたときには、抽出の前に完全に定められる。本発明の変形によれば、配置の動作は、抽出される肥料によって充填されていない領域を定められた最小に限定する目的で、容器の内側の利用可能な容積を縮小させる密着効果を有する。前記キャビティに均一に配置された物質を使用することで抽出流体がそれを正確に移動するので、可能な容積をこのように適合させることで、抽出を好ましいものにすることが可能になる。
【００１３】
生産時にコンパクト化された肥料を含む容器の変形では、キャビティの容積は、容器と容器の支持部との間の使用されない領域、および抽出中の不適当な経路が存在しないようにする目的で容器の寸法に、より正確に一致する。
【００１４】
第３段階では、主要な灌漑パイプからの水は、作られた穿孔を通って注入手段による圧力の下で容器内に導かれる。容器の表面は、抽出キャビティの壁に対して付着される。方法の変形では、容器の下方の表面を引っ張ることでその破断応力に達するとき、この容器の内側の圧力によって、容器の支持部により規定された配置によって容器の下方の表面の穿孔がなされる。破断は、エンボス加工された突出部分の位置、または前記エンボス加工された部分の間に形成された中空の部分で始まる。エンボス加工の形状に従って、破断は前述の２つの領域に延出することもできる。その応力から解放された抽出表面から切り離されることなく破断される部分は、作られた開口を広げ、それに続く抽出液の排出を好ましいものにする目的で、ただし容器から全く分散がないようにエンボスに対して精密に付着される。容器の内部の圧力は部分的に低下するが、容器から出る流体の流れがエンボスに支持される抽出表面の剥離した材料のリップによって形成された小さな間隙、およびエンボス加工された要素内またはその近くに作られた排出オリフィスの両方によって低下するので、この一時的な減圧は限られたものである。したがって、排出は完全に制御され、とりわけ排出オリフィス、フィルタ、または灌漑システムの任意の要素を閉塞するおそれのある容器の内容物の固体相のいかなるふさわしくない移動も生じないようにする。
【００１５】
第４段階では、肥料の溶液が、注入器を通って導入された水の流れによって定められる規定の圧力の下で抽出される。この流れ、したがって圧力は容器内の肥料容器および各灌漑ステージによって灌漑される表面の構成によって変化し、したがって施肥の用量は正確に調整される。必要であれば、抽出表面の相補的な開口が、抽出圧力が高い値に達した場合に周囲の領域に設けられることが好ましい、減少する高さを有する容器の支持部のエンボス加工された部分によって形成できる。いずれの場合においても、水の注入流れ、したがって容器の内側の圧力は、必要であれば主要な灌漑パイプの制御弁によってバイパスを介して常に制御される。
【００１６】
第５段階では、前記肥料溶液は主要な灌漑パイプに再び取り込まれ、対応する装置、すなわちドリッパー、スプリンクラー、散布器、マイクロ散布器、ピボットを介して菜園または農作物に分配される。
【００１７】
方法の第１の変形によれば、容器が容器の支持部に導入された場合に、その容器の下方の部分は容器に導入されたエンボス加工された要素からなるので、容器の重量および容器の支持部を閉鎖する際に働く圧力のため、破断は容器の下方の部分で起こる。
【００１８】
方法を実施する第２の変形によれば、容器の抽出表面の破断はエンボス加工された要素のレベルで始まることができ、次いで材料が変形の限界のところでその破断応力に達するとき、前記要素によって形成されるキャビティ（間隙）の中央に広がる。
【００１９】
方法の第３の変形によれば、抽出表面は相補的な要素に関連する可能性のあるエンボス加工された要素の位置で破断応力を得ることによって開口し、その目的は容器の抽出表面を破断することではなく、排出を好ましいものにすることである。
【００２０】
これらの剥離された部分は、そのかなり縮小した寸法のため、ある程度の相対剛性が与えられた場合、エンボスに対して完全に密着した様式で付着できないので、肥料溶液は、容器の抽出表面の剥離された部分と変形した部分の間から排出オリフィスに通過することができる。
【００２１】
抽出表面に実施された破断の数は、数十個であることが好ましい。エンボス加工された要素の幾何学的形状は、全体的に、剥離した部分が完全に切り離されず、容器と一体のままになるように配置される。
【００２２】
本発明の方法を実施するのに使用される容器は、有利には２つの部分、すなわち薄い平面の可撓性のシート、および多面体、円錐台形、または円筒形の同じまたは異なる材料の第２部分によって形成され、それらは、肥料が収容されたキャビティから溶接縁部が突出するように周囲に沿って溶接される。容器の２つの部分に使用される材料は、酸素、光、および蒸気に対して透過性がある。容器は水の注入中の圧力の上昇の効果によって穿孔後に開放する。
【００２３】
本発明による容器は、適用のために必要な肥料の容積に従って寸法を変えることができる。
【００２４】
容器の全体的な形状は円形、卵形、または丸みを付けられた縁部を有する可能性のある４から１０の辺を有する多角形の形状、あるいはこれらの３つの要素の組み合わせであることができる。
【００２５】
本発明による密封された容器は、提供された抽出装置でそれ自体で使用することが意図される。
【００２６】
容器は即時に使用できる状態であり、それを抽出システムに配置する前にどのような種類の準備も必要としない。
【００２７】
有機的に灌漑される表面によるいくつかの灌漑ステージ、またはいくつかの完全な灌漑さえも伴う可能性のある、容器に含まれる肥料の完全な使用の後に、いかなる形の浪費もなく、また使用者がプロセスのいかなるときにも肥料を形成する化学物質に接触することなく、前記容器は装置から容易に取り外すことができる。
【００２８】
それを機械に配置した後に、容器の抽出表面は必ずしも水平面に配置される必要がない。実装のプロセスの便宜上、その他の向きを好ましいものとすることができる。本発明はさらに、方法を実施するための装置に関する。
【００２９】
方法を実施するための装置は容器の支持部を備え、その中に、容器を穿孔する穿孔手段、容器の内側に水を注入する水の注入手段、および容器を破断する破断手段が配置される。容器の支持部は上方の蓋および下方の本体によって有利に形成され、その間に密着手段が配置され、２つの部分は、互いに協働して容器の縁部を押すことによって固定を確実にし、その間に必ずしもその最初の形状と同一でない、収容の定められた形状を確実にするキャビティを形成する。２つの部分の密着は、容器の支持部を開閉する手段によって確実にされ、その手段は蓋および本体を互いに一体のものにする。
【００３０】
抽出キャビティの特定の装置にしたがって、その内側の容積は容器の最初の容積よりも少ないものにすることができる。この装置は、特に、コンパクト化されていない容器の抽出に適用される。
【００３１】
抽出キャビティの別の特定の装置によれば、蓋および／または本体は、いくつかの特別な領域で容器の内側に抽出される肥料物質を移動するのに寄与する要素を有する。
【００３２】
これらの要素は、蓋の下方の表面に配置された突起の形、および／または抽出装置の本体の上方の表面の特定の幾何学的形状を有するものであることができる。
【００３３】
水の導入装置を実装する第１の変形によれば、容器の上方の面を穿孔し、容器内に水を導くことが意図された手段は、先端部、ラミナ（ｌａｍｉｎａｅ）、または突起などの要素を有するその下方の表面に設けられた水の分配グリッドの形であってもよい。水の通路のオリフィスは、強制的には前記要素と重ならないが、その周囲に有利に配置することができる。
【００３４】
第２の変形によれば、１つまたは複数の水の注入針を設けることができ、その針は蓋から容器の支持部のキャビティに突出して配置される。そのような針は、それが容器の支持部に配置された場合に容器の上方の表面を穿孔し、前記容器の内側に流体を注入することができるようにする。
【００３５】
容器が空になった場合にオーバーフローを最小限に抑える目的で、少なくとも部分的に再び閉鎖できる開口によって容器の材料を１つまたは複数の水の導入針が穿孔できるように、それらが鋭利な形で設計される。またそれらは、容器が起伏し、隣り合った壁に対して付着するのを妨げない。最後に、これらの水の導入部材の寸法および配置は、肥料材料のベッド内に好ましいふさわしくない通路が形成されず、対照的にその容積全体に一様に灌漑が行われるように選択される。１つまたは複数の針の形状、寸法、および配置は容器の形状および寸法に適合されなければならない。
【００３６】
実装形態の変形によれば、システムは、抽出を４つの基本的なアセンブリに基づいて行うことができるようにする。それは、開閉のための手段を備える支持部、容器の支持部、（システムがバイパスに配置されている場合に）流れを調整するための弁を設けられる、システムへの水の流入パイプ、およびシステムへの肥料溶液の流出パイプである。容器の支持部は、キャビティ、容器を穿孔しその中に水を導くことを意図された手段、および排水オリフィスを備えるエンボス加工された中空の要素を内側に備える。システムは、必要であれば、異なる灌漑ステージを定める電動式バルブによって、任意の分岐点の前で主要な灌漑パイプ内にバイパスを形成するように配置される。
【００３７】
実装形態の変形では、肥料溶液の流出パイプは透明なのぞき孔を備え、そこを通して溶液の通過を観察することができ、肥料がその目的で染色を施されているのでそれによって使用者は容器の充填がなくなった時点を確認することができる。
【００３８】
上記に示されたアセンブリの第１のものである支持部は、システムを固定するために設けられた固定脚、および容器の支持部を開閉するための手段を備える。
【００３９】
容器の支持部では、本体の下方の部分、および容器を破断する破断手段を形成するエンボス加工された要素を備える部分は、互いに強制的に一体にはなっていない。容器の支持部は、全体的に２つの部分からなり、それは（排出を確実にする部分のエンボス加工された中空の要素を含む）下方の部分または本体、および容器を穿孔し水を導くように意図された手段を備える上方の部分または蓋を備える。下方の部分は取外し不可能であり、脚と共に支持部に固定され、それに対して蓋は容器の支持部を開閉する手段によって作動される。
【００４０】
特に容器の支持部の密着装置を参照すると、第１の装置によって、蓋の下方の表面は円錐形の縁部を有する。本体の円錐形のハウジングはそれに対向している。２つの円錐形の要素は、互いに対して導かれ、その間の容器の縁部を押し付ける。角度は、それらの２つの円錐のそれぞれに関してわずかに異なることが好ましく、理論上の接触領域が狭いリングを限定している。
【００４１】
密着装置の第２の装置では、上方の部分の下方の部分が容器の支持部の周囲に配置された弾性的なＯリング・シールに対して容器のリムを押し付ける。
【００４２】
好ましい変形では、密着は可撓継手によって達成され、その可撓継手は、ハウジング内に拘束されずに配置され、それによって継手とハウジングの底部との間の水の圧力の下でハウジングが前記継手を押して容器のリムに押し付けることが可能になることを特徴とする。この変形では、継手を垂直に押す圧力下での水は、ハウジングの底部から来る。
【００４３】
この変形の第２の構成によれば、可撓継手を受けるハウジングは、径方向にのみ移動する。継手を変形させる水は、直接的に抽出チャンバに含まれる水からのものである。
【００４４】
上述の２つの構成では、継手はＯリング・シール、円筒形の継手、または市場で知られた任意のその他の形を有する継手である。
【００４５】
密着装置の特定の装置によれば、容器の支持部の蓋および本体は、嵌合することを意図された相補的な要素を有し、それによって（下方の部分を上方の部分に対し、容器がそれらの両方の間に配置されて）アセンブリを固定するときに、容器の表面を張ることができるようにする。
【００４６】
容器がその２つの表面の周囲の領域にリップルを有する場合、そのリップルは、不規則に折り目を生じることなく、２つの平面のシートの３次元的な組み付けを補償する目的で製造時に形成され、抽出装置のキャビティの境界を定める蓋および本体の表面、ならびに抽出中の密着を確実にするその縁部は、容器のリップルと適合性のあるリップルの形のエンボスを有することができる。
【００４７】
蓋と本体の間の接触領域と同様の装置は、その周囲が平面である可撓性の容器の抽出の場合にも有利に設けることができる。しかし、この装置では、リップルは幅が小さく、せいぜい偶発的な折り目を除去する目的で容器の縁部を張ることしかできない。
【００４８】
容器の抽出表面の開口を確かにする破断手段は、異なるタイプのものであることができる。
【００４９】
第１の実施形態では、エンボス加工された要素は、閉鎖または開放されたアーチの形の、小さな直線的なまたはわずかに曲がった１つまたは複数の棒によって形成され、その棒は異なる長さを有し、いくつかの小さな穴を有する穿孔されたグリッドに径方向に、同心円状に、平行に、または垂直に配置される。その区画は半円形またはほぼ台形であることができる。
【００５０】
第２の実施形態では、エンボス加工された要素は、円形もしくは非円形の多角形の断面を有する小さなプリズム、角錐台形、円筒形、または円錐台形の形であることもできる。
【００５１】
第３の実施形態では、エンボス加工された要素は、その基部に円形または卵形のキャビティを形成し、その底部に肥料溶液の排出オリフィスが配置される。
【００５２】
前述の３つの実施形態の実装形態の変形によれば、エンボス加工された要素は排出グリッドにそれ自体が配置された部分を形成する。
【００５３】
別の変形によれば、エンボス加工された要素は、溶液を排出する濾過オリフィスの穿孔されたプレートの一体の部分を形成できる。
【００５４】
第４の実施形態では、エンボス加工された要素および排出オリフィスの相対的な配置は逆にすることができる。エンボス加工された要素は、その主要な表面に対して中空にされた部分、および少なくとも突出した部分に作製された排出オリフィスを備える部分によって形成される。材料は、それがオリフィスを設けられた突出する部分を露出するように破断する。
【００５５】
第５の実施形態では、エンボス加工された要素は、相補的な要素に関連付けられた角錐の部分であり、その機能は容器の抽出表面を破断することではなく、抽出された液体の排出を好ましいものにすることである。角錐の上面は、容器が圧力の影響を受けた場合に支持表面として有用である。破断は前記角錐の縁部で始まる。第２の変形では、角錐形状は全体的および／または部分的な、すなわち非対称な角錐によって形成される。非対称の角錐は、全ての垂直な表面が同じ角度でない角錐、または数個の垂直部分が除去された本来は対称の角錐から得ることができる。この第５の実施形態に関しては、エンボス加工された要素、ならびにおそらく段およびチャネルの表面は、溶液の排出を好ましいものにする小さな溝を有することができ、抽出表面の材料は、それが溝の形状に完全に適合しないようにする十分な剛性を有する。いくつかのタイプの角錐が、この第５の実施形態に同時に存在できる。
【００５６】
第６の好ましい実施形態では、角錐および隣接するチャネルの高さは表面全体で一定でない。そのような表面の一部分は、通常より高い圧力の値に達した場合にのみ容器を開封させることが意図され、したがって抽出流量が圧力を上昇させるのを修正する。この効果は、角錐の高さを減少させ、段を分離するチャネルの深さを増加させることによって得られることが好ましい。その目的は、１つの容器から別の容器への流量を調節することであり、これがないと流量は含まれる肥料のタイプにしたがって変わる可能性がある。
【００５７】
上述の形式の変形では、水が中央に導かれたとき、水を押して肥料ベッドの最大の経路に行き渡らせる目的で、抽出は下方の表面の好ましくはリング形状の領域に限定できる。相反的に、逆の構成が可能である。
【００５８】
上記に述べられた全ての場合に、容器の下方の壁の開口は、その変形部分が破断した結果であるが、灌漑水による容器への圧力の効果の下で、それを与えた後の結果に過ぎない。
【００５９】
容器の支持部が、クランプ・システムと呼ばれるシステムの部分を形成する場合に、容器は機械に直接的に挿入され、クランプが閉鎖された場合に切断要素または穿孔要素により容器の上方の部分の穿孔が実施される。この場合には、上方の部分または下方の部分は、水平または垂直軸による回転運動、この挿入を可能にする曲げ運動または引出し様の運動を行うことができる。２つの部分は抽出中にフック・システムまたは任意のその他の適切な装置によって一体である。この溶液の利点は、固定または解放のときに、容器の回転動作が全くなく、それによってシャワーまたは回転する角錐の使用がなくなる。別の利点は、抽出の前の密着力が倍増機構のおかげでより高くできることである。
【００６０】
それぞれの部分の配置は、上述の配置に関して変更することができ、たとえば、抽出表面は、垂直または傾斜した平面に従って配置できる。次いで、水の注入はそれに対して垂直または非垂直であることができる。
【発明を実施するための最良の形態】
【００６１】
前述の説明を完全にし、本発明の特徴をよりよく理解することを助ける目的で、好ましい実施形態の詳細な説明を本明細書に添付された一組の図面に基づいて行い、そこでは以下のものを単に教示的で限定されない性質で示す。
【実施例】
【００６２】
図１で理解できるように、本発明の容器（１）が、底部（５）によって形成される受け部（２）、および平面のリム（７）の外側に向かって延出する円錐台形の側壁（６）を備える。容器は可溶性の肥料（３）を含み、リム（７）に溶接された覆い（４）によって閉鎖される。１つの変形では、リム（７）は、覆い（４）の縁部よりも大きい円周を画定し、したがってリムは折り部（９）にそれ自体の上に折りたたむことができ、そうして覆い（４）の周囲にリム（７）を設置することにより容器（１）の剛性および密封を向上させる。
【００６３】
本発明の装置は、図２に示されるように、基本的に容器（１）をその中に受けることを意図された容器の支持部（１０）を備える。容器の支持部（１０）は、水の入口（１４）に接合された蓋（１３）によって上方の部分で閉鎖され、容器（１）の上方の表面を穿孔するための先端部（１５）を設けられた本体（１２）を有し、本体（１２）は、複数の突出する要素（１６）および流出パイプ（１８）と連通する排出オリフィス（１７）を有する基部（１１）の下方の部分で終端する。
【００６４】
図３は、抽出装置の第２の実施形態に関し、そこでは、先端部（１５）の代わりに注入針（３１）が用いられている。容器の支持部を閉鎖するときには、中空の注入針（３１）が容器（１）の覆い（４）を穿孔し、それに続いてそこを通って抽出液が導入できるようになる。
【００６５】
蓋（１３）は、その上方の表面に容器の支持部（１０）の本体（１２）を有する円錐のハウジング（２０）に対応する円錐の縁部（１９）をその下方の表面に有する。これらの要素は、容器の支持部（１０）を閉鎖した後に互いに嵌合し、容器（１）を固定し、その表面を張り、粉末の肥料物質を再び中心に配置することに寄与する。Ｏリング・シール（４３）は、容器の支持部（１０）の密着を確実にする。
【００６６】
図４は、容器（１）を穿孔するための単一の注入針（３１）を備える水の注入手段の別の実施形態を示す。この注入針（３１）は、容器（１）に水を導くための数個の注入オリフィス（４１）を有する。蓋（１３）は、凹形の領域（４２）を備え、それによって容器（１）の上方の表面が前記凹形の領域（４２）に対して付くように、よりよい水の分配ができるようにする。
【００６７】
図５は、容器を穿孔する穿孔手段の周囲への配置、および容器を破断する破断手段の中央への配置、ならびにその結果生じる水の経路を示し、それに対して図６は、容器を穿孔する穿孔手段の中央への配置、および容器を破断する破断手段の周囲への配置、ならびにその結果生じる水の経路を示す。両方の場合に、肥料の運搬は水の流れによって向上する。
【００６８】
図７は、破断手段を形成するいくつかのタイプのエンボス加工された角錐形の要素を示す。これらの要素は、角錐台形（４４）、２つの表面で先端を切られた角錐（４５）、非対称角錐（４６）、対称角錐（４７）、リップルを付けられた角錐（４８）、３つの表面で先端を切られた角錐（４９）、および４つの表面で先端を切られた角錐（５５）であることができる。段（５０）があることによって、容器の下方の表面の破断を制御することができるようになる。排出オリフィス（１７）は、円筒形（５２）、下方に広がった形（５３）、または円筒形かつ下方に広がった形（５４）の３つの異なる形状を有することができる。
【００６９】
図９は、容器の支持部（１０）を開閉する手段を示し、その手段は、容器の支持部（１０）の本体（１２）に接合された両側の支持部（６３）と一体になった第１のロッド（６４）にヒンジ式に取り付けられたアーム（６８）を備え、蓋（１３）と一体の第２のロッド（６７）がアーム（６８）に配置され、２つの支柱（７５）を備えたロッキヨーク（６５）がその上にヒンジ式に取り付けられ、その支柱は、両側の支持部（６３）と一体の対応するラグ（７０）をその中に受けるために設けられたフック形状のノッチ（６６）を有する。
【００７０】
以下の動作が用いられる。容器（１）が容器の支持部（１０）の本体（１２）に配置され、アーム（６８）がロッキング・レバー（６５）に支えられながら、両側の支持部（６３）のラグ（７０）にフック（６６）を位置決めするまで下ろされ、蓋（１３）の円錐形の縁部（１９）が本体（１２）の円錐形のハウジング（２０）と協働して容器（１）のリム（７）を固定し、同時に注入針（３１）が容器を穿孔する。それに続く、ロッキング・レバー（６５）の旋回が、Ｏリング・シール（４３）を押して密着を確実にし、装置は即時に用水に連結できる状態になる。水は水の入口（１４）を通って容器（１）に貫入する。容器（１）の圧力が上昇し、容器（１）の下方の表面が、その破断応力に達するまで、突出する要素（１６）に対して付着される。抽出ステージが始まる。肥料溶液が排出オリフィス（１７）を通って流出し、流出パイプ（１８）を通って回収され、主要な灌漑パイプ（図示されない）に流れる。肥料の抽出が終わった後に、ロッキング・レバー（６５）が解放されてアーム（６８）を持ち上げ、使用済みの容器（１）を交換できるようにする。図１、３、および９を参照されたい。
【図面の簡単な説明】
【００７１】
【図１】本発明による容器の概略図である。
【図２】本発明による抽出装置の概略図である。
【図３】第２の実施形態による抽出装置の部分概略図である。
【図４】第２の実施形態による水の注入手段の概略詳細図である。
【図５】第１の実施形態による、水の入口部材および肥料溶液を排出するために設けられた破断手段の位置決めの概略図である。
【図６】第２の実施形態による、水の入口部材および肥料溶液を排出するために設けられた破断手段の位置決めの概略図である。
【図７】破断手段および排出オリフィスの部分平面図である。
【図８】図７の線ＶＩＩＩ−ＶＩＩＩによる断面を示す。
【図９】容器の支持部を開閉する手段が観察される、本発明の装置のアセンブリの斜視図である。
【図１】
2008538904.tif 000003
【図２】
2008538904.tif 000004
【図３】
2008538904.tif 000005
【図４】
2008538904.tif 000006
【図５】
2008538904.tif 000007
【図６】
2008538904.tif 000008
【図７】
2008538904.tif 000009
【図８】
2008538904.tif 000010
【図９】
2008538904.tif 000011
【国際調査報告】
2008538904.tif 000012
2008538904.tif 000013
2008538904.tif 000014
2008538904.tif 000015
2008538904.tif 000016
2008538904.tif 000017
2008538904.tif 000018
2008538904.tif 000019